(57)【要約】【課題】引出し時には確実に脱落防止を行い、収納時には容易に収納できる脱落防止手段を構成する。【解決手段】主軸５ａと、主軸５ａに設けられた車輪６ａとを有する引出形機器３と、引出形機器３が移動する床板８と、床板８に固定されるとともに、車輪６ａがその内側を移動する一対のガイド９ｂと、ガイド９ｂの少なくとも一方に設けられた脱落防止手段とを有する箱体とを備えた金属閉鎖形スイッチギヤであって、脱落防止手段は、回動が制御されたストッパー１０と、ストッパー１０が係止される引出し阻止ピン１１とを有し、引出し時には、ストッパー１０が引出し阻止ピン１１に係止され、収納時には、ストッパー１０が引出し阻止ピン１１を乗り越えることを特徴とする。【選択図】  図２
2014135835.tif 000002
【特許請求の範囲】
【請求項１】
主軸と、
前記主軸に設けられた車輪とを有する引出形機器と、
前記引出形機器が移動する床板と、
前記床板に固定されるとともに、前記車輪がその内側を移動する一対のガイドと、
前記ガイドの少なくとも一方に設けられた脱落防止手段とを有する箱体と、
を備えた金属閉鎖形スイッチギヤであって、
前記脱落防止手段は、回動が制御されたストッパーと、
前記ストッパーが係止される引出し阻止ピンとを有し、
引出し時には、前記ストッパーが前記引出し阻止ピンに係止され、
収納時には、前記ストッパーが前記引出し阻止ピンを乗り越えることを特徴とする金属閉鎖形スイッチギヤ。
【請求項２】
前記脱落防止手段は、前記ストッパーと、
このストッパーの上部に固定された支点ピンと、
前記支点ピンが貫通して遊動する前記ガイドに設けられた貫通孔と、
前記ストッパーの下部が係止される前記引出し阻止ピンとで構成され、
引出し時には、前記主軸が前記ストッパーの中間部に当接し、
このストッパーの下部が前記引出し阻止ピンに係止されることを特徴とする請求項１に記載の金属閉鎖形スイッチギヤ。
【請求項３】
前記脱落防止手段は、前記ストッパーと、
このストッパーの上部に固定された支点ピンと、
前記支点ピンが貫通して遊動する前記ガイドに設けられた貫通孔と、
前記ストッパーの下部が係止される前記引出し阻止ピンとで構成され、
収納時には、前記主軸が前記ストッパーの中間部に当接すると、前記支点ピンが前記貫通孔を遊動し、
前記ストッパーが前記引出し阻止ピンを乗り越えて回動することを特徴とする請求項１に記載の金属閉鎖形スイッチギヤ。
【請求項４】
前記ストッパー、前記引出し阻止ピンに、フッ素樹脂加工を施したことを特徴とする請求項１乃至請求項３のいずれか１項に記載の金属閉鎖形スイッチギヤ。
【請求項５】
前記引出形機器は、真空遮断器であることを特徴とする請求項１乃至請求項４のいずれか１項に記載の金属閉鎖形スイッチギヤ。
【請求項６】
前記脱落防止手段を前記引出形機器の前輪と後輪の少なくとも一方で動作させることを特徴とする請求項１乃至請求項５のいずれか１項に記載の金属閉鎖形スイッチギヤ。
【発明の詳細な説明】
【技術分野】
【０００１】
本発明の実施形態は、引出形真空遮断器のような引出形機器を収納する金属閉鎖形スイッチギヤに関する。
【背景技術】
【０００２】
従来、金属閉鎖形スイッチギヤには、引出形真空遮断器が主回路導体と接続する接続位置、接続位置から引出して主回路導体と断路する断路位置が設けられている。断路位置では、盤外まで容易に引出せないように脱落防止手段が設けられている（例えば、特許文献１参照。）。
【０００３】
このような脱落防止手段には、盤側の床面の断路位置に設けた貫通孔に、引出形真空遮断器の台車を貫通したインターロックピンを嵌め込むような簡素な構造のものが採用されている。そして、引出形真空遮断器を盤外に搬出するときには、作業者がインターロックピンを取外して行われる。取外したインターロックピンは、貫通孔に嵌め込んで置くか、電器室などに保管することになる。このような状況において、インターロックピンを貫通孔に嵌め込んでいる状態で引出形真空遮断器を収納しようとすると、インターロックピンに当接し、収納作業を混乱させることになる。一方、インターロックピンを電気室などに別置きしておくと、紛失の要因となる。
【０００４】
このため、断路位置において、引出形真空遮断器が盤外方向に移動して脱落しないように阻止することができるとともに、盤外からの収納時には、引出形真空遮断器の移動によって前記阻止した部材が自動的に解除されるものが望まれていた。なお、複雑なリンク機構、バネ機構、電磁機構などを用いると、部品点数が増え、複雑な構造となるので対象としない。
【先行技術文献】
【特許文献】
【０００５】
【特許文献１】特開２０１０−１０４０８０号公報
【発明の概要】
【発明が解決しようとする課題】
【０００６】
本発明が解決しようとする課題は、引出し時には、断路位置で引出形機器の盤外方向への移動を阻止し、収納時には、引出形機器の移動によって阻止した部材が解除される簡素な構成の脱落防止手段を有する金属閉鎖形スイッチギヤを提供することにある。
【課題を解決するための手段】
【０００７】
上記課題を解決するために、実施形態の金属閉鎖形スイッチギヤは、主軸と、前記主軸に設けられた車輪とを有する引出形機器と、前記引出形機器が移動する床板と、前記床板に固定されるとともに、前記車輪がその内側を移動する一対のガイドと、前記ガイドの少なくとも一方に設けられた脱落防止手段とを有する箱体と、を備えた金属閉鎖形スイッチギヤであって、前記脱落防止手段は、回動が制御されたストッパーと、前記ストッパーが係止される引出し阻止ピンとを有し、引出し時には、前記ストッパーが前記引出し阻止ピンに係止され、収納時には、前記ストッパーが前記引出し阻止ピンを乗り越えることを特徴とする。
【図面の簡単な説明】
【０００８】
【図１】本発明の実施例に係る金属閉鎖形スイッチギヤの構成を示す図。
【図２】本発明の実施例に係る金属閉鎖形スイッチギヤの構成を示す要部拡大図。
【図３】本発明の実施例に係る引出形機器の引出し時の動作を説明する図。
【図４】本発明の実施例に係る引出形機器の収納時の動作を説明する図。
【発明を実施するための形態】
【０００９】
以下、図面を参照して本発明の実施例を説明する。
【実施例】
【００１０】
本発明の実施例に係る金属閉鎖形スイッチギヤを図１〜図４を参照して説明する。図１は、本発明の実施例１に係る金属閉鎖形スイッチギヤの構成を示す図であり、（ａ）は正面図、（ｂ）は側面図、図２は、本発明の実施例に係る金属閉鎖形スイッチギヤの構成を示す要部拡大図であり、（ａ）は正面図、（ｂ）は側面図、図３は、本発明の実施例に係る引出形機器の引出し時の動作を説明する図、図４は、本発明の実施例に係る引出形機器の収納時の動作を説明する図である。
【００１１】
図１（ａ）、（ｂ）に示すように、箱体１内には、真空バルブ２を搭載した真空遮断器３が収納されている。真空バルブ２の上下には、盤側の主回路導体と接離する主回路接触子４が接続されている。真空遮断器３の底部には、正面側と背面側に主軸５ａ、５ｂが設けられ、両端に回転自在に回転する車輪６ａ、６ｂが設けられている。正面側には、把手７が設けられている。真空遮断器３は、箱体１の床板８に固定された断面Ｌ字状の一対のガイド９ａ、９ｂの内側を移動するようになっている。ガイド９ａ、９ｂ内の少なくとも一方には、脱落防止手段が設けられている。
【００１２】
脱落防止手段は、図２（ａ）、（ｂ）に示すように、主軸５ａ端に当接して回動する板状のストッパー１０と、ストッパー１０の回動を阻止する引出し阻止ピン１１を有している。ストッパー１０には、上部端に回動の支点となる支点ピン１２が固定され、ガイド９ｂを貫通している。貫通した支点ピン１２のねじ部には、円板状のサポート板１３を固定したナット１４が螺合され、更にナット１５が螺合され、ダブルナットでサポート板１３を固定している。ガイド９ｂには、上部に楕円状の貫通孔１６が設けられ、短径が支点ピン１１の直径よりも大きく、長径がサポート板１３の直径よりも小さくなっている。これにより、支点ピン１２は、貫通孔１６を遊動する。ストッパー１０には、上面にＣ面カットが施され、回動時にガイド９の上面に干渉しないようになっている。
【００１３】
引出し阻止ピン１１は、ガイド９の下部に固定され、ストッパー１０の下部が当接するようになっている。支点ピン１２が貫通孔１６の正面側の底部に位置し、自重で垂れ下がった垂直状態のときに、ストッパー１０の下部の側面が当接する。引出し阻止ピン１１の直径方向の半分位の位置にストッパー１０端が当接される。
【００１４】
次に、真空遮断器３を引出すときの動作を図３を参照して説明する。
【００１５】
図３（ａ）の盤内に位置する真空遮断器３を盤外に引出そうとすると、図３（ｂ）に示すように、主軸５ａが垂直状態にあるストッパー１０の中間部に当接する。ストッパー１０の下部は引出し阻止ピン１１に係止されているので、移動が阻止され、脱落防止が行われる。これを盤外に引出すときには、支点ピン１２を操作し、ストッパー１０を上方向に持ち上げ、引出し阻止ピン１１との係止を外す。すると、図３（ｃ）に示すように、ストッパー１０は、支点ピン１２を支点として時計方向に回動するとともに、貫通孔１６の右方向の背面側に移動する。これにより、真空遮断器３を盤外に搬出することができる。
【００１６】
次に、真空遮断器３を収納するときの動作を図４を参照して説明する。
【００１７】
図４（ａ）に示すように、ストッパー１０は、図３（ａ）で当接していた反対側の側面が引出し阻止ピン１１に当接し、斜め配置となっている。この状態で真空遮断器３を収納しようとすると、主軸５ａがストッパー１０に当接する。更に真空遮断器３を押し込むと、図４（ｂ）に示すように、支点ピン１２が貫通孔１６内を上方向とともに、背面側に移動し、ストッパー１０が引出し阻止ピン１１を乗り越える。ストッパー１０が斜め配置で引出し阻止ピン１１の直径方向の半分位に係止されているので、乗り越えが容易となる。
【００１８】
更に押し込むと、図４（ｃ）に示すように、ストッパー１０が反時計方向に回動し、垂直状態になる。即ち、収納時においては、支点ピン１２が貫通孔１６の下部に位置しており、ストッパー１０を背面側へ押すことにより、支点ピン１２が貫通孔１６内で上方向と背面側方向に遊動し、引出し阻止ピン１１の係止を外すものとなる。傾斜したストッパー１０は、回動後、自重で垂れ下がり、復帰した状態となる。
【００１９】
上記実施例の金属閉鎖形スイッチギヤによれば、少なくとも一方のガイド９ｂ内に、回動を制御したストッパー１０を設け、引出し時にはストッパー１０を引出し阻止ピン１１に係止させて真空遮断器３の盤外方向の移動を阻止し、収納時には支点ピン１２が貫通孔１６を遊動し、引出し阻止ピン１１の係止を外しているので、簡素な構成の脱落防止手段とすることができる。
【００２０】
上記実施例では、収納時を正面側の主軸５ａを用いて説明したが、背面側の主軸５ｂによってもストッパー１０を回動させることができる。このため、前輪と後輪の二段ステップで脱落防止を行うことができる。なお、どちらか一方の主軸５ａを短くし、ストッパー１０に当接しないようにすれば、脱落防止の機能を解除でき、一段ステップとすることができ、少なくとも一方を用いるものとする。
【００２１】
また、ストッパー１０や引出し阻止ピン１１に、例えばフッ素樹脂加工を施した鋼鉄を用いれば、滑動し易くなり、収納時の操作性を向上させることができる。
【００２２】
また、引出形機器を真空遮断器３を用いて説明したが、引出形の計器用変成器、避雷器などにも用いることができる。
【００２３】
以上述べたような実施形態によれば、簡素な構造で、引出形機器の脱落防止手段を構成することができる。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１  箱体
２  真空バルブ
３  真空遮断器
４  主回路接触子
５ａ、５ｂ  主軸
６ａ、６ｂ  車輪
７  把手
８  床板
９ａ、９ｂ  ガイド
１０  ストッパー
１１  引出し阻止ピン
１２  支点ピン
１３  サポート板
１４、１５  ナット
１６  貫通孔
【図１】
2014135835.tif 000003
【図２】
2014135835.tif 000004
【図３】
2014135835.tif 000005
【図４】
2014135835.tif 000006